(57)【要約】【課題】屈折率１．５５以上の高屈折率の含硫黄プラスチックレンズ樹脂汚れに対して、高い洗浄力を有する洗浄剤組成物の提供。【解決手段】（ａ）無機系アルカリ剤２〜３０重量％、（ｂ）アニオン界面活性剤および非イオン界面活性剤から選ばれる少なくとも１種の界面活性剤０．５〜２０重量％、（ｃ）カルシウム塩０．０１〜２重量％〔カルシウムイオン換算〕、（ｄ）カルシウムイオン捕捉剤０．１〜１５重量％、（ｅ）水溶性有機溶剤１〜３０重量％、ならびに（ｆ）水２０〜９５重量％を含有する洗浄剤組成物。【選択図】なし【特許請求の範囲】
【請求項１】
（ａ）無機系アルカリ剤  ２〜３０重量％、
（ｂ）アニオン界面活性剤および非イオン界面活性剤から選ばれる少なくとも１種の界面活性剤  ０．５〜２０重量％、
（ｃ）カルシウム塩  ０．０１〜２重量％〔カルシウムイオン換算〕、
（ｄ）カルシウムイオン捕捉剤  ０．１〜１５重量％、
（ｅ）水溶性有機溶剤  １〜３０重量％、ならびに
（ｆ）水  ２０〜９５重量％を含有する洗浄剤組成物。
【請求項２】
（ｄ）成分のカルシウムイオン捕捉剤が、オキシカルボン酸および／またはカルシウムイオンとのキレート安定度定数ｌｏｇＫCaが１〜４のカルシウムイオン捕捉剤（ｄ1）と、カルシウムイオンとのキレート安定度定数ｌｏｇＫCaが５〜１３のカルシウムイオン捕捉剤（ｄ2）を、（ｄ1）／（ｄ2）＝９８／２〜５０／５０（重量比）の割合で含有する請求項１記載の洗浄剤組成物。
【請求項３】
（ｅ）成分の水溶性有機溶剤の溶解性パラメーターが２１．５〜３１Ｊ1/2・ｃｍ-3/2である請求項１又は２記載の洗浄剤組成物。
【請求項４】
（ｅ）成分が、（ｅ−１）多価アルコール、（ｅ−２）含窒素化合物または（ｅ−３）アルキレンオキサイド化合物である請求項１又は２記載の洗浄剤組成物。
【請求項５】
（ｅ−１）（ｅ−２）および（ｅ−３）が以下に記載した化合物からなる群から選ばれる少なくとも１種である請求項４記載の洗浄剤組成物。
（ｅ−１）ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、プロピレングリコール、ジプロピレングリコール、トリプロピレングリコール及びトリメチレングリコール。
（ｅ−２）アセトアミド、Ｎ，Ｎ−ジメチルアセトアミド、アセトニトリル、アミルアミン、アリルアミン、イソブチルアミン、イソプロパノ−ルアミン、イソプロピルアミン、Ｎ−エチルエタノールアミン、モルホリン、Ｎ−エチルモルホリン、エチレンジアミン、カプロラクタム、ジアミルアミン、ジエタノールアミン、ジエチルアミン、ジエチレントリアミン、シクロヘキシルアミン、ジメチルアミン、テトラエチレンペンタミン、Ｎ，Ｎ，Ｎ’，Ｎ’−テトラメチルエチレンジアミン、トリエタノールアミン、２−ピロリドン、Ｎ−メチルピロリドン、Ｎ−メチルホルムアミド、モノエタノールアミン、モノメチルアミン及びモノエチルアミン。
（ｅ−３）（ＰＯＥ１〜５）モノメチルエーテル、（ＰＯＥ１〜５）モノエチルエーテル、（ＰＯＥ１〜５）モノプロピルエーテル、（ＰＯＥ１〜５）モノブチルエーテル、（ＰＯＥ１〜２）モノイソブチルエーテル、（ＰＯＥ１〜２）モノアリルエーテル。
【請求項６】
請求項１〜５のいずれか記載の洗浄剤組成物を用いたプラスチックレンズ成形ガラスの洗浄方法。
【請求項７】
（Ａ）プラスチックレンズ成形ガラス型を請求項１〜５のいずれか記載の洗浄剤組成物を用いて洗浄し、（Ｂ）洗浄された前記成形ガラス型をすすぎ水ですすぐ、洗浄方法。
【請求項８】
（Ａ）工程において、プラスチックレンズ成形ガラス型を洗浄剤組成物に浸漬して洗浄する請求項６に記載した方法。
【請求項９】
（Ａ）工程において、プラスチックレンズ成形ガラス型を洗浄剤組成物に浸漬し、さらに揺動して洗浄する請求項６に記載した方法。
【請求項１０】
（Ａ）工程において、プラスチックレンズ成形ガラス型を洗浄剤組成物に浸漬し、さらに超音波洗浄して洗浄する請求項６に記載した方法。
【発明の詳細な説明】
【技術分野】
【０００１】
本発明は、本発明は、洗浄剤組成物およびそれを用いた洗浄方法に関する。
【背景技術】
【０００２】
プラスチックレンズは、無機系ガラスレンズに比べて、軽くて割れ難く、染色し易い。加えて、ハードコート技術の向上と、より高屈折率の樹脂材料の開発によって、より薄くて軽いレンズの加工ができるようになった。これにより、眼鏡レンズをはじめ、多くの光学素子の分野で、無機系ガラスレンズに代わって普及してきた。
【０００３】
プラスチックレンズ用の樹脂として最も広く用いられてきたのはアリルジグリコールカーボネート（ＡＤＣ）をラジカル重合して得られる樹脂である。しかし、最近、より高屈折率の樹脂材料が開発されてきた。その代表的なものは、含硫黄ウレタン樹脂、含硫黄エポキシ樹脂、ポリチオ（メタ）アクリレート樹脂、含硫黄ポリ（メタ）アクリレート樹脂、エピスルフィド樹脂などの屈折率１．５５以上の含硫黄プラスチックレンズ樹脂である。
【０００４】
プラスチックレンズの製造には、一般的に、成形ガラス型が用いられる。この成形ガラス型は、レンズ成形後、洗浄され、何度も繰り返し使用される。プラスチックレンズ成形の際に成形ガラス型に付着する汚れとしては、プラスチックレンズ成形用原料、未反応モノマー、オリゴマー、ポリマー（樹脂）、ガスケットからブリードアウトした成分、可塑剤、接着剤、モールド固定用テープ由来の粘着剤などの高分子量の樹脂状汚れ、作業者の指紋、雰囲気中のほこりなどがある。これらの中でも、プラスチックレンズ樹脂は高度に架橋し、非常に強固に固着しているため、極めて洗浄し難い。
【０００５】
成形ガラス型の洗浄剤として、従来、アルカリ剤、特定の界面活性剤、カルシウムイオン放出物質及び水を含有した洗浄剤組成物など（特許文献１）が知られている。この文献では、洗浄対象物として従来主流のジエチレングリコールビスアリルカーボネート系プラスチックレンズ樹脂やウレタン系樹脂などの屈折率が１．５０以下の低屈折率樹脂について具体的に開示されている。
【特許文献１】特開平１１−１７２３００号公報
【発明の開示】
【発明が解決しようとする課題】
【０００６】
本発明は、プラスチックレンズ成形ガラス型の表面に付着し、洗浄が困難なポリマー（樹脂）、接着剤、モールド固定用テープ由来の粘着剤などの高分子量の樹脂状汚れ、プラスチックレンズ成形用原料、未反応モノマー、オリゴマー、ガスケットからブリードアウトした成分、可塑剤、作業者の指紋、雰囲気中のほこりなどの汚れ、中でも、特に屈折率１．５５以上の高屈折率の含硫黄プラスチックレンズ樹脂汚れに対して高い洗浄力を有し、ガラス型の防食性に優れ、組成物の安定性の良好なプラスチックレンズ成形ガラス型用の洗浄剤組成物、およびそれを用いた洗浄方法を提供することを課題とする。
【課題を解決するための手段】
【０００７】
本発明は、
（ａ）無機系アルカリ剤  ２〜３０重量％、
（ｂ）アニオン界面活性剤および非イオン界面活性剤から選ばれる少なくとも１種の界面活性剤  ０．５〜２０重量％、
（ｃ）カルシウム塩  ０．０１〜２重量％〔カルシウムイオン換算〕、
（ｄ）カルシウムイオン捕捉剤  ０．１〜１５重量％、
（ｅ）水溶性有機溶剤  １〜３０重量％、ならびに
（ｆ）水  ２０〜９５重量％を含有する洗浄剤組成物を提供する。
【０００８】
また本発明は、（Ａ）プラスチックレンズ成形ガラス型を上記発明の洗浄剤組成物を用いて洗浄し、（Ｂ）洗浄された前記成形ガラス型をすすぎ水ですすぐ、洗浄方法を提供する。さらに、上記洗浄剤組成物のプラスチックレンズ成形ガラス型洗浄用途を提供する。
【発明の効果】
【０００９】
本発明の洗浄剤組成物を用いることにより、プラスチックレンズ成形ガラス型の表面に付着し、洗浄が困難なプラスチックレンズ樹脂、ガスケットからブリードアウトした可塑剤、固定用テープの粘着剤、作業者の指紋、雰囲気中のほこりなどの汚れ、中でも特に、屈折率１．５５以上の高屈折率の含硫黄プラスチックレンズ樹脂汚れに対して、高い洗浄力を発揮し、成形ガラス型の腐食も抑制され、なおかつ、組成物の安定性が良好に確保される。
【発明を実施するための最良の形態】
【００１０】
最近、市場に出回ってきた屈折率１．５５以上の高屈折率系含硫黄プラスチックレンズの製造に用いられる成形ガラス型においては、従来の低屈折率系の樹脂汚れと比較しても、樹脂汚れがより強固に付着して剥離し難いだけではなく、その付着量も増加しているため、より洗浄し難くなっている。
【００１１】
本発明者らは、かかる困難を解決するため、組成物を高アルカリに設定して、樹脂状汚れの洗浄性を向上する一方で、高アルカリ下でも防食性を良好に確保し、組成物を安定にするための手段を検討した結果、本発明の完成に至った。
【００１２】
＜洗浄剤組成物＞
（ａ）成分
（ａ）成分の無機系アルカリ剤は、（ｂ）成分の界面活性剤と併用することにより、プラスチックレンズ成形ガラス型に付着した種々の樹脂状汚れの溶解性、種々の樹脂状汚れへの浸透性および樹脂状汚れの膨潤性、ならびにそれに伴う汚れの崩壊性を相乗的に高めるように作用する。
【００１３】
（ａ）成分の無機系アルカリ剤としては、アルカリ金属水酸化物、アルカリ金属弱酸塩などが挙げられる。
【００１４】
アルカリ金属水酸化物としては、水酸化リチウム、水酸化ナトリウム、水酸化カリウムなどが挙げられる。
【００１５】
アルカリ金属弱酸塩としては、ケイ酸リチウム、炭酸リチウム、ケイ酸ナトリウム、炭酸ナトリウム、ケイ酸カリウム、炭酸カリウムなどが挙げられる。
【００１６】
なお、アルカリ金属水酸化物及びアルカリ金属弱酸塩は、いずれも組成物中にアルカリ金属又はその金属酸化物として配合されたものが、組成物中に配合された水、弱酸又は弱酸水溶液と反応した結果、生成されたものも含む。
【００１７】
（ａ）成分の中では、高アルカリ性を有することにより、樹脂汚れの低分子量化と剥離性を高め、優れた洗浄性能を付与する観点から、アルカリ金属水酸化物が好ましい。さらに、入手の容易性及び経済性の観点から、水酸化ナトリウムおよび水酸化カリウムがより好ましい。
【００１８】
（ａ）成分の無機系アルカリ剤の含有量は、洗浄性を向上させる観点から、２重量％以上であり、４重量％以上が好ましく、６重量％以上がより好ましく、８重量％以上がさらに好ましい。また、取り扱いの上の安全性の観点から、３０重量％以下であり、２８重量％以下が好ましく、２４重量％以下がより好ましく、２０重量％以下がさらに好ましい。
【００１９】
（ｂ）成分
（ｂ）成分のアニオン界面活性剤および非イオン界面活性剤から選ばれる少なくとも１種の界面活性剤は、上記したとおり、（ａ）成分と併用することで、プラスチックレンズ成形ガラス型に付着した樹脂状汚れの分解による低分子量化および樹脂状汚れの剥離性が飛躍的に高め、さらに剥離した汚れの再付着を防止することから、洗浄性を格段に向上させるように作用する。
【００２０】
以下においては、炭素数１〜１８であることを「（Ｃ１〜18）」のように略記する場合がある。また、例えば「ＰＯＥ１〜５」と略記したときは、エチレンオキサイドが平均で１〜５モル付加したことを意味する。また、ＨＬＢは、Ｇｒｉｆｆｉｎの式に基づいて算出されたものである。
【００２１】
アニオン界面活性剤としては、カルボン酸塩型アニオン界面活性剤、硫酸エステル塩型アニオン界面活性剤、スルホン酸塩型アニオン界面活性剤、リン酸エステル塩型アニオン界面活性剤などが挙げられる。
【００２２】
非イオン界面活性剤としては、ポリエチレングリコール型非イオン界面活性剤、多価アルコール型非イオン界面活性剤などが挙げられる。
【００２３】
界面活性剤の中では、（ａ）成分を高濃度で使用する際の洗浄剤組成物の均一性や洗浄性および洗浄後のリンスの容易性の観点から、硫酸エステル塩型アニオン界面活性剤、スルホン酸塩型アニオン界面活性剤、平均ＨＬＢ（親水性親油性バランス）が４〜１８の非イオン界面活性剤が好ましい。
【００２４】
硫酸エステル塩型アニオン界面活性剤としては、炭素数１０〜２０の直鎖アルキル基または分岐鎖アルキル基を有するアルキル硫酸塩；炭素数１０〜２０のアルケニル基を有するアルケニル硫酸塩；炭素数１０〜２０の直鎖アルキル基または分岐鎖アルキル基を有し、かつＰＯＥ２〜２５のポリオキシエチレンアルキル硫酸塩などが挙げられる。
【００２５】
スルホン酸塩型アニオン界面活性剤としては、炭素数１０〜２０の直鎖アルキル基または分岐鎖アルキル基を有するアルキルスルホン酸塩；炭素数１０〜２０のアルケニル基を有するアルケニルスルホン酸塩；炭素数８〜１６の直鎖アルキル基または分岐鎖アルキル基を有するアルキルベンゼンスルホン酸塩；炭素数２〜６の直鎖アルキル基または分岐鎖アルキル基を有するアルキルナフタレンスルホン酸塩；炭素数１０〜２０の直鎖アルキル基、分岐鎖アルキル基または環状アルキル基を有するアルキルスルホコハク酸；炭素数１０〜２０のアルケニル基を有するアルケニルスルホコハク酸塩；炭素数６〜１８の直鎖アルキル基または分岐鎖アルキル基を有するアルキルジフェニルエーテルジスルホン酸塩；炭素数６〜１８のアルケニル基を有するアルケニルジフェニルエーテルなどが挙げられる。
【００２６】
平均ＨＬＢが４〜１８の非イオン界面活性剤としては、（ＰＯＥ２〜37）（Ｃ12〜14）合成アルコールエーテル、（ＰＯＥ１〜34）ラウリルエーテル、（ＰＯＥ２〜46）セチルエーテル、（ＰＯＥ２〜51）ステアリルエーテル、（ＰＯＥ２〜51）オレイルエーテル、（ＰＯＥ２〜38）オクチルフェニルエーテル、（ＰＯＥ２〜41）ノニルフェニルエーテルなどが挙げられる。
【００２７】
非イオン界面活性剤の平均ＨＬＢは、無機イオン成分が高濃度に存在する場合の洗浄後のリンス性の観点から、４以上が好ましく、８以上がより好ましく、１０以上がさらに好ましく、１１以上特に好ましく、洗浄性の観点から、１８以下が好ましく、１５以下がより好ましく、１４以下がさらに好ましく、１３以下が特に好ましい。
【００２８】
さらに、（ａ）成分の含有量が２重量％以上、特に４重量％以上の場合、硫酸エステル塩型アニオン界面活性剤およびスルホン酸塩型アニオン界面活性剤がより好ましい。
【００２９】
硫酸エステル塩型アニオン界面活性剤およびスルホン酸塩型アニオン界面活性剤としては、ラウリル硫酸エステルナトリウム、テトラデシル硫酸エステルナトリウム、ラウリル硫酸エステルアンモニウム、ラウリル硫酸エステルトリエタノールアミン；（ＰＯＥ３〜10）ラウリルエーテル硫酸ナトリウム、（ＰＯＥ３〜10）ラウリルエーテル硫酸トリエタノールアミン、（ＰＯＥ２〜10）（Ｃ12〜13）合成アルコールエーテル硫酸ナトリウム、（ＰＯＥ20〜25）オレイルエーテル硫酸ナトリウム、（ＰＯＥ２〜10）オクチルフェノールエーテル硫酸ナトリウム、（ＰＯＥ４〜18）ノニルフェノールエーテル硫酸ナトリウム；オクチルスルホン酸ナトリウム、（Ｃ10〜18）α−オレフィンスルホン酸ナトリウム、ドデシルベンゼンスルホン酸ナトリウム、ブチルナフタレンスルホン酸ナトリウム；ジ２−エチルヘキシルスルホコハク酸ナトリウム、ジオクチルスルホコハク酸ナトリウム、ジイソトリデシルスルホコハク酸ナトリウム、ジシクロヘキシルスルホコハク酸ナトリウム；オクチルジフェニルエーテルジスルホン酸ナトリウム、ドデシルジフェニルエーテルジスルホン酸ナトリウムなどがあげられ、これらはいずれも樹脂状汚れの洗浄性の向上、洗浄能力の持続性および経済性の観点から好ましい。
【００３０】
さらに、（ａ）成分の含有量が２重量％以上、特に６重量％以上の組成物である場合、洗浄剤組成物の均一性と洗浄性能を十分に発揮させる観点から、（ｂ）成分は、（ＰＯＥ３〜10）ラウリルエーテル硫酸ナトリウム、（ＰＯＥ３〜10）ラウリルエーテル硫酸トリエタノールアミン、（ＰＯＥ２〜10）（Ｃ12〜13）合成アルコールエーテル硫酸ナトリウム、（ＰＯＥ20〜25）オレイルエーテル硫酸ナトリウム、（ＰＯＥ２〜10）オクチルフェノールエーテル硫酸ナトリウム、（ＰＯＥ４〜18）ノニルフェノールエーテル硫酸ナトリウム；オクチルジフェニルエーテルジスルホン酸ナトリウム、ドデシルジフェニルエーテルジスルホン酸ナトリウムから選ばれた少なくとも１種であることがさらに好ましい。
【００３１】
（ｂ）成分の界面活性剤の含有量は、洗浄性の観点から、０．５重量％以上であり、１．０重量％以上が好ましく、１．５重量％以上より好ましく、２重量％以上がさらに好ましい。また、洗浄剤の粘度が上昇するなどの洗浄剤の使用時における取り扱い性の観点から、２０重量％以下であり、１５重量％以下が好ましく、１０重量％以下がより好ましく、５重量％以下がさらに好ましい。
【００３２】
（ｃ）成分
（ｃ）成分のカルシウム塩は、（ａ）成分による成形ガラス型の腐食を防止し、（ａ）成分および（ｂ）成分の併用効果を高めるように作用する。
【００３３】
（ｃ）成分としては、無機系カルシウム塩、有機系カルシウム塩などが挙げられ、これらは単独でまたは２種以上を用いることができる。
【００３４】
無機系カルシウム塩としては、水酸化カルシウム、塩化カルシウム、硝酸カルシウム、亜硝酸カルシウム、次亜リン酸カルシウム、リン酸カルシウム、ピロリン酸カルシウム、トリポリリン酸カルシウム、ポリリン酸カルシウムなどが挙げられる。
【００３５】
なお、（ｃ）成分は、金属カルシウムまたは酸化カルシウムを洗浄剤組成物に配合し、水、無機酸塩などと反応させることにより、水酸化カルシウムや、炭酸カルシウムなどの無機酸カルシウム塩を生成させたものでもよい。
【００３６】
有機系カルシウム塩としては、直鎖アルキルカルボン酸カルシウム、アルキレンカルボン酸カルシウム、芳香族カルボン酸カルシウム、オキシカルボン酸カルシウム、多価カルボン酸カルシウム、アミノカルボン酸カルシウム、有機硫酸カルシウム、有機スルホン酸カルシウム、有機リン酸カルシウムなどが挙げられる。
【００３７】
直鎖アルキルカルボン酸カルシウムおよびアルキレンカルボン酸カルシウムとしては、ギ酸カルシウム、酢酸カルシウム，プロピオン酸カルシウムなどが挙げられる。
【００３８】
芳香族カルボン酸カルシウムとしては、安息香酸カルシウム、ｍ−ヒドロキシ安息香酸カルシウム、ｐ−ヒドロキシ安息香酸カルシウム、２，３−ジヒドロキシ安息香酸カルシウム、２，５−ジヒドロキシ安息香酸カルシウム、α−レゾルシン酸カルシウム、β−レゾルシン酸カルシウム、γ−レゾルシン酸カルシウム、プロトカテク酸カルシウム、没食子酸カルシウム、ベンジル酸カルシウムなどが挙げられる。
【００３９】
オキシカルボン酸カルシウムとしては、グリオキシル酸カルシウム、グリコール酸カルシウム、乳酸カルシウム、グルコン酸カルシウム、タートロン酸カルシウム、リンゴ酸カルシウム、酒石酸カルシウム、クエン酸カルシウム、ムチン酸カルシウムなどが挙げられる。
【００４０】
多価カルボン酸カルシウムとしては、シュウ酸カルシウム、L-アスパラギン酸カルシウムなどが挙げられる。
【００４１】
アミノカルボン酸カルシウムとしては、パントテン酸カルシウム，エチレンジアミン四酢酸カルシウム、Ｎ−ヒドロキシエチレンジアミン−Ｎ，Ｎ’，Ｎ’−三酢酸カルシウム、ジエチレントリアミン五酢酸カルシウム、ニトリロ三酢酸カルシウム、トリエチレンテトラミン六酢酸カルシウム、トランス−１，２−シクロヘキサンジアミン四酢酸カルシウム、ヒドロキシエチルイミノ二酢酸カルシウム、Ｎ, Ｎ−ジ（２−ヒドロキシエチル）グリシンカルシウムなどが挙げられる。
【００４２】
有機硫酸カルシウムとしては、アルキル硫酸エステルカルシウム、ポリオキシエチレンアルキルエーテル硫酸カルシウム、ポリオキシエチレンアルキルフェニルエーテル硫酸カルシウムなどが挙げられる。
【００４３】
有機スルホン酸カルシウムとしては、アルキルベンゼンスルホン酸カルシウム、アルキルナフタレンスルホン酸カルシウム、ジアルキルスルホコハク酸カルシウム、アルキルジフェニルエーテルジスルホン酸カルシウム、β−ナフタレンスルホン酸ホルムアルデヒド縮合物のカルシウム塩などが挙げられる。
【００４４】
有機リン酸カルシウムとしては、グリセロリン酸カルシウム，アミノトリ（メチレンホスホン酸）カルシウム、１−ヒドロキシエチリデン−１，１−ジホスホン酸カルシウム、エチレンジアミンテトラ（メチレンホスホン酸）カルシウム、ジエチレントリアミンペンタ（メチレンホスホン酸）カルシウムなどが挙げられる。
【００４５】
本発明の洗浄剤組成物は（ａ）成分を２重量％以上含有するため、洗浄剤組成物の均一性とガラスの腐食防止の観点から、（ｃ）成分の中でも、塩化カルシウム、硝酸カルシウム、次亜リン酸カルシウム、プロピオン酸カルシウム、安息香酸カルシウム、乳酸カルシウム、グルコン酸カルシウム、パントテン酸カルシウム、グリセロリン酸カルシウムから選ばれた少なくとも１種であることがさらに好ましい。
【００４６】
（ｃ）成分の含有量（カルシウムイオン換算量）は、ガラスの腐食を防止する観点から、０．０１重量％以上であり、０．０２重量％以上が好ましく、０．０３６重量％以上がより好ましく、０．０５５重量％以上がさらに好ましい。また、製品の均一性およびガラス表面の品質保持の観点から、２重量％以下であり、１重量％以下が好ましく、０．５重量％以下がより好ましく、０．２重量％以下がさらに好ましい。
【００４７】
（ｄ）成分
（ｄ）成分のカルシウムイオン捕捉剤は、洗浄性やガラスの腐食防止効果の持続性をはじめ、（ａ）成分、（ｂ）成分、（ｃ）成分および（ｆ）成分の水を配合する際の相溶性および製品の均一性を向上させるものである。
【００４８】
ここに、カルシウムイオン捕捉剤とは、カルシウムとのキレート安定度定数ｌｏｇＫCaが1〜１４である化合物をいう。キレート安定度定数ｌｏｇＫCaは、以下の方法で測
定する。
【００４９】
（１）まず、カルシウムイオン標準水溶液（検量線用水溶液）を次のように調製する。即ち、塩化カルシウム・２水和物を用いて、Ｃａ2+イオンが０．０１ｍｏｌ／Ｌ、０．００１ｍｏｌ／Ｌ、０．０００１ｍｏｌ／Ｌの水溶液を各々５０ｍＬずつ調製し、４．８％の水酸化ナトリウム水溶液でｐＨ９〜１１に調整した後、塩化カリウムの４ｍｏｌ／Ｌ水溶液を１ｍＬ加える。
【００５０】
（２）次に、測定サンプルの水溶液を調製する。即ち、固形分換算で１０ｍｇのカルシウムイオン捕捉剤を１００ｍＬのビーカーに秤量し、塩化カルシウム・２水和物を用いて調製した０．００１ｍｏｌ／Ｌのカルシウムイオン水溶液を５０ｍＬ加え、スターラーで均一に攪拌した後、４．８％の水酸化ナトリウム水溶液でｐＨ９〜１１に調整し、塩化カリウムの４ｍｏｌ／Ｌ水溶液を１ｍＬ加える。
【００５１】
（３）測定は、オリオン社製のイオンアナライザーＥＡ９２０を用いて、オリオン社製のカルシウムイオン電極９３０２により行う。
【００５２】
（４）検量線及びサンプル（重合体）の測定値から、サンプルが捕捉したカルシウムイオン量を求め、カルシウムイオン捕捉剤固形分１ｇ当たりの捕捉量を炭酸カルシウム換算のｍｇ数で表し、その値をカルシウムイオン捕捉能値とする。
【００５３】
（５）測定で求めたカルシウムイオン捕捉能値を用いて、「柴田村治，錯体化学入門，共立出版（１９６３）」や「上野景平，入門キレート化学，南江堂（１９６９）」に記載の下記式
【００５４】
【数１】
2006124696.tif 000002
【００５５】
より、キレート安定度定数ｌｏｇＫCaを求める。
【００５６】
本発明における「キレート安定度定数ｌｏｇＫCa」に関し、種々の化合物についての具体的な数値としては、例えば、小林道夫，藤本昌利，水町邦彦訳，金属キレート化合物，共立出版株式会社，１９６０年、R. M. Smith and A. E. Martell, Critical Stability Constans, Vol. 2, Plenum Press, New York, 1975およびL. G. Sillen and A. E.. Martell, Stability Constants of Metal-Ion Complexes, Supplement No.1, Special Publication No.25, The Chemical Society, Burlington House, London, 1971, p.273など
の多くの文献に記載されている。
【００５７】
（ｄ）成分としては、オキシカルボン酸およびその塩、カルボン酸または多価カルボン酸およびその塩、芳香族カルボン酸およびその塩、アミノカルボン酸およびその塩、ホスホン酸およびその塩、リン酸およびその塩、ヒドロキシベンゼン、多価アルコール、アミノナフトールスルホン酸およびその塩、トリエタノールアミンなどが挙げられる。なお、前記カルシウムイオン捕捉剤は、単独でまたは２種以上を用いることができる。
【００５８】
オキシカルボン酸およびその塩としては、グリオキシル酸、グリコール酸、乳酸、グルコン酸、マンデル酸、タートロン酸、リンゴ酸、酒石酸、クエン酸、ムチン酸 (mucic acid)、これらのアルカリ金属または低級アミン塩などが挙げられる。
【００５９】
カルボン酸または多価カルボン酸およびその塩としては、シュウ酸、マロン酸、コハク酸、グルタル酸、アジピン酸、ピメリン酸、フマル酸、マレイン酸、ジグリコール酸、L-アスパラギン酸、これらのアルカリ金属または低級アミン塩などが挙げられる。
【００６０】
芳香族カルボン酸およびその塩としては、ｍ−ヒドロキシ安息香酸、ｐ−ヒドロキシ安息香酸、２，３−ジヒドロキシ安息香酸、２，５−ジヒドロキシ安息香酸、α−レゾルシン酸、β−レゾルシン酸、γ−レゾルシン酸、プロトカテク酸、没食子酸(gallic acid)、タンニン酸、３，５−ジニトロサリチル酸、サリチル酸、これらのアルカリ金属または低級アミン塩などが挙げられる。
【００６１】
アミノカルボン酸およびその塩としては、エチレンジアミン四酢酸、エチレンジアミン二酢酸、ニトリロ三酢酸、Ｎ−ヒドロキシエチレンジアミン−Ｎ，Ｎ’，Ｎ’−三酢酸、ジエチレントリアミン五酢酸、トリエチレンテトラミン六酢酸、テトラエチレンテトラミン六酢酸、ヒドロキシエチルイミノ二酢酸、Ｎ，Ｎ−ジ（２−ヒドロキシエチル）グリシン、イミノ二酢酸、トランス−１，２−シクロヘキサンジアミン四酢酸、これらのアルカリ金属または低級アミン塩などが挙げられる。
【００６２】
ホスホン酸およびその塩としては、アミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）、これらのアルカリ金属または低級アミン塩などが挙げられる。
【００６３】
リン酸およびその塩としては、ピロリン酸カリウム、トリポリリン酸カリウム、ポリリン酸カリウムなどが挙げられる。
【００６４】
ヒドロキシベンゼンとしては、２−ヒドロキシフェノール、３−ヒドロキシフェノール、２，３−ジヒドロキシフェノール（ピロガロール）、３，５−ジヒドロキシフェノール、ヘキサヒドロキシシクロヘキサン、アミノナフトールなどが挙げられる。
【００６５】
多価アルコールとしては、Ｄ−ソルビトール、Ｄ−マンニトール、ズルシトール、Ｄ−アラビノース、キシリトール、グルコノラクトン、Ｄ−マンノース、Ｄ−ガラクトース、トレイトールなどが挙げられる。
【００６６】
本発明の洗浄剤組成物は（ａ）成分を２重量％以上含有するため、洗浄剤組成物の均一性とガラスの腐食防止の観点から、（ｄ）成分の中でも、乳酸、グルコン酸、酒石酸、クエン酸、シュウ酸、マレイン酸、没食子酸、エチレンジアミン四酢酸、ニトリロ三酢酸、アミノトリ（メチレンホスホン酸）、１−ヒドロキシエチリデン−１，１−ジホスホン酸、これらのアルカリ金属または低級アミン塩から選ばれた少なくとも１種であることがさらに好ましい。
【００６７】
（ｄ）成分の含有量は、洗浄性や、（ａ）成分、（ｂ）成分、（ｃ）成分および（ｆ）成分との相溶性の観点から、０．１重量％以上であり、０．３重量％以上が好ましく、０．５重量％以上がより好ましく、０．８重量％以上がさらに好ましい。また、ガラス腐食防止効果および洗浄時における取り扱いの容易性の観点から、１５重量％以下であり、１０重量％以下が好ましく、５重量％以下がより好ましく、３重量％以下がさらに好ましい。
【００６８】
（ｄ）成分において、オキシカルボン酸またはカルシウムイオンとのキレート安定度定数ｌｏｇＫCaが１〜４のカルシウムイオン捕捉剤（ｄ1）と、カルシウムイオンとのキレート安定度定数ｌｏｇＫCaが５〜１３のカルシウムイオン捕捉剤（ｄ2）とを組み合わせることによって、（ａ）成分が高濃度の洗浄剤組成物の保存安定性とガラスの腐食防止効果の観点からより良好な効果が得られる。これらを組み合わせる場合、（ｄ1）と（ｄ2）の配合比率（ｄ1／ｄ2：重量比）は９８／２〜５０／５０であり、９５／５〜６０／４０が好ましく、９０／１０〜６５／３５がより好ましく、８５／１５〜７０／３０がさらに好ましい。
【００６９】
（ｄ）成分としては、（ａ）成分を２重量％以上含有する場合においても水溶性が高く、優れたカルシウムイオン補足効果を発現するものとして、オキシカルボン酸およびその塩、アミノカルボン酸およびその塩、ならびに有機ホスホン酸およびその塩から選ばれる組み合わせがより好ましい。
【００７０】
（ｅ）成分
（ｅ）水溶性有機溶剤は、（ａ）成分を２重量％以上含有する場合においても、洗浄性や洗浄後のすすぎ性、水などの他の成分を配合する際の相溶性を向上させるものである。
【００７１】
（ｅ）成分としては、２５℃で、水１００ｇに対して２０ｇ以上溶解できる、アルコール、エーテル、アセタール、ケトン、アルデヒド、多価アルコール、含窒素化合物、アルキレンオキサイド化合物が好ましい。具体例としては以下に示す化合物が挙げられる。
【００７２】
（１）アルコール類として,メチルアルコール、エチルアルコール、１−プロピルアル、コール、イソプロピルアルコール、ｔ−ブチルアルコール、アリルアルコール、フルフリルアルコール、テトラヒドロフルフリルアルコールなど。
【００７３】
（２）エーテル、アセタール類として、ジメチルエーテル、ジプロピルエーテル、テトラヒドロフランなど。
【００７４】
（３）ケトン、アルデヒド類として、アセトアルデヒド、アセトン、ジアセトンアルコール、メチルエチルケトンなど。
【００７５】
（４）多価アルコール類として、エチレングリコール、ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、プロピレングリコール、ジプロピレングリコール、トリプロピレングリコール、トリメチレングリコール、１，３−オクチレングリコール、１，２−プロパンジオール、１，３−プロパンジオール、２−メチル−１，３−プロパンジオール、１，２−ブタンジオール、１，３−ブタンジオール、１，４−ブタンジオール、１，４−ブテンジオール、１，４−ペンタンジオール、１，５−ペンタンジオール、１，５−ヘキサンジオール、１，６−ヘキサンジオール、グリセリン、トリメチロールエタン、トリメチロールプロパンなど。
【００７６】
（５）含窒素化合物類として、アセトアミド、Ｎ，Ｎ−ジメチルアセトアミド、アセトニトリル、アミルアミン、アリルアミン、イソブチルアミン、イソプロパノ−ルアミン、イソプロピルアミン、Ｎ−エチルエタノールアミン、モルホリン、Ｎ−エチルモルホリン、エチレンジアミン、カプロラクタム、ジアミルアミン、ジエタノールアミン、ジエチルアミン、ジエチレントリアミン、シクロヘキシルアミン、ジメチルアミン、テトラエチレンペンタミン、Ｎ，Ｎ，Ｎ’，Ｎ’−テトラメチルエチレンジアミン、トリエタノールアミン、２−ピロリドン、Ｎ−メチルピロリドン、Ｎ−メチルホルムアミド、モノエタノールアミン、モノメチルアミン、モノエチルアミンなど。
【００７７】
（６）アルキレンオキサイド化合物類として、一般式（Ｉ）：
Ｒ1−Ｏ−（Ｒ2−Ｏ）ｍ−Ｒ3        （Ｉ）
（式中、Ｒ1は炭素数１〜８の炭化水素基、Ｒ2はエチレン基、Ｒ3は水素原子、炭素数１〜４のアルキル基、ｍは（Ｒ2−Ｏ）の平均付加モル数で、１〜７の数を示す。）
で表されるアルキレンオキサイド化合物Ａ、および一般式（II）： 
【００７８】
【化１】
2006124696.tif 000003
【００７９】
（式中、Ｒ1、Ｒ2およびＲ3は前記と同じ、ｐは（Ｒ2−Ｏ）の平均付加モル数で、１〜５の数、ｑは（Ｒ2−Ｏ）の平均付加モル数で、０または１〜５の数を示す。）で表されるアルキレンオキサイド化合物Ｂなど。
【００８０】
一般式（Ｉ）、（II）で表されるアルキレンオキサイド化合物において、Ｒ1は炭素数１〜８の炭化水素基であるが、広い温度範囲での洗浄剤組成物の均一性を確保する観点から、炭素数１〜４の炭化水素基であることが好ましい。
【００８１】
Ｒ1が炭素数１〜８の炭化水素基でない場合、洗浄剤組成物の均一性を確保することができないことがある。
【００８２】
炭素数１〜８の炭化水素基としては、メチル基、エチル基、プロピル基、ブチル基、ペンチル基、ヘキシル基、ヘプチル基、オクチル基などの直鎖飽和炭化水素基；イソプロピル基、イソブチル基、ｔ−ブチル基などの分岐鎖飽和炭化水素基；ビニル基、アリル基、プロペニル基、ブテニル基、ペンテニル基、ヘキセニル基、ヘプテニル基、オクテニル基などの直鎖不飽和炭化水素基；イソプロペニル基などの分岐鎖不飽和炭化水素基；シクロプロピル基、シクロブチル基、シクロペンチル基、シクロヘキシル基、シクロヘプチル基、シクロオクチル基などの環状飽和炭化水素基；シクロプロペニル基、シクロブテニル基、シクロペンテニル基、シクロヘキセニル基、シクロヘプテニル基、シクロオクテニル基などの環状不飽和炭化水素基；フェニル基、ベンジル基、フェネチル基などの芳香族炭化水素基などが挙げられる。
【００８３】
Ｒ2はエチレン基である。炭素数が１である場合には、前記アルキレンオキサイド化合物の製造が非常に困難となり、また炭素数が３以上の場合には、水溶性が低下し、洗浄剤組成物の均一性が低下することがある。
【００８４】
Ｒ3は、水素原子、炭素数１〜４のアルキル基を示すが、炭素数が４を超える場合には、洗浄剤組成物の均一性が低下することがある。炭素数１〜４のアルキル基としては、メチル基、エチル基、プロピル基、ブチル基などが挙げられる。 
【００８５】
また、ｍは１〜７の数、ｐは１〜５の数、ｑは０または１〜５の数である。ここで、ｑは０であってもよい。したがって、ｐ＋ｑは１〜１０の数となる。水に対する溶解性および洗浄剤組成物の均一性の観点から、ｍは、２〜７の数であることが好ましく、２〜４の数であることがより好ましい。また、同様の観点から、ｐ＋ｑは、１〜８の数であることが好ましく、２〜６の数であることがより好ましい。 
【００８６】
一般式（Ｉ）、（II）で表されるアルキレンオキサイド化合物は、通常、それぞれ単独でまたはそれらの２種以上を用いることができる。 
【００８７】
一般式（Ｉ）で表されるアルキレンオキサイド化合物Ａとしては、メタノール、エタノール、プロパノール、ブタノール、イソブタノール、ヘキサノール、オクタノールなどの直鎖または分岐鎖を有するアルキル基を有するアルコール類；フェノール、クレゾールなどのフェノール類；シクロヘキサノールなどの脂環式アルコール類などに、苛性ソーダなどの触媒下、加熱しながら炭素数２〜４のアルキレン（エチレン、プロピレン、ブチレンなど）オキサイドを、液状または気体状で、単独または複数加えて反応させることにより得られたものなどが挙げられ、さらに、これらのアルキレンオキサイド付加物の末端水酸基をアルキルクロライドなどによりメチル化、エチル化またはブチル化させたり、酢酸やプロピオン酸などでエステル化させた化合物などが挙げられる。 
【００８８】
一般式（Ｉ）で表されるアルキレンオキサイド化合物Ａとしては、（ＰＯＥ１〜７）モノメチルエーテル、（ＰＯＥ１〜７）モノエチルエーテル、（ＰＯＥ１〜７）モノプロピルエーテル、（ＰＯＥ１〜７）モノブチルエーテル、（ＰＯＥ１〜７）モノイソブチルエーテル、（ＰＯＥ１〜７）モノアリルエーテル、（ＰＯＥ１〜７）モノヘキシルエーテル、（ＰＯＥ１〜７）モノ２−エチルヘキシルエーテル、（ＰＯＥ１〜７）モノオクチルエーテル、（ＰＯＥ４〜７）モノフェニルエーテル、（ＰＯＥ４〜７）モノベンジルエーテルなどのエチレングリコールモノエーテル類；（ＰＯＥ２〜７）ジメチルエーテル、（ＰＯＥ２〜７）ジエチルエーテル、（ＰＯＥ２〜７）ジプロピルエーテル、（ＰＯＥ３〜７）ジブチルエーテル、（ＰＯＥ３〜７）ジイソブチルエーテル、（ＰＯＥ３〜７）ジアリルエーテル、（ＰＯＥ４〜７）ジヘキシルエーテル、（ＰＯＥ４〜７）ジ２−エチルヘキシルエーテル、（ＰＯＥ４〜７）ジオクチルエーテル、（ＰＯＥ４〜７）ジフェニルエーテル、（ＰＯＥ４〜７）ジベンジルエーテル、（ＰＯＥ２〜７）エチルメチルエーテル、（ＰＯＥ３〜７）ブチルメチルエーテル、（ＰＯＥ３〜７）２−エチルヘキシルメチルエーテルなどのエチレングリコールジエーテル類などが挙げられる。
【００８９】
これらの中でも、洗浄剤組成物の均一性と入手の容易性の観点から、（ＰＯＥ１〜５）モノメチルエーテル、（ＰＯＥ１〜５）モノエチルエーテル、（ＰＯＥ１〜５）モノプロピルエーテル、（ＰＯＥ１〜５）モノブチルエーテル、（ＰＯＥ１〜２）モノイソブチルエーテル、（ＰＯＥ１〜２）モノアリルエーテル、（ＰＯＥ１〜２）モノヘキシルエーテル、（ＰＯＥ１〜２）モノ２−エチルヘキシルエーテル、（ＰＯＥ４〜５）モノフェニルエーテル、（ＰＯＥ４〜５）モノベンジルエーテル；（ＰＯＥ１〜４）ジメチルエーテル、（ＰＯＥ１〜２）ジエチルエーテル、（ＰＯＥ１〜２）ジプロピルエーテル、（ＰＯＥ１〜２）ジブチルエーテル、（ＰＯＥ２）エチルメチルエーテル、（ＰＯＥ２）ブチルメチルエーテル、（ＰＯＥ２）２−エチルヘキシルメチルエーテルが好ましい。
【００９０】
これらのアルキレンオキサイド化合物Ａは、それぞれ単独でまたは２種以上を用いることができる。 
【００９１】
一般式（II）で表されるアルキレンオキサイド化合物Ｂとしては、エチルアミン、ジエチルアミン、ヘキシルアミン、ブチルアミン、オクチルアミン、ベンジルアミン、シクロヘキシルアミンなどの直鎖、分岐鎖、芳香族または脂環式の炭化水素基を有するアミン類などを原料に用いて、一般式（Ｉ）と同様な方法で合成した化合物などが挙げられる。
【００９２】
一般式（II）で表されるアルキレンオキサイド化合物Ｂとしては、（ＰＯＥ１〜７）エチルアミン、（ＰＯＥ１〜７）ジエチルアミン、（ＰＯＥ１ 〜７）ヘキシルアミン、（ＰＯＥ１〜７）ブチルアミン、（ＰＯＥ１〜７）オクチルアミン、（ＰＯＥ１〜７）ベンジルアミン、（ＰＯＥ１〜７）シクロヘキシルアミンなどのグリコールモノアミン類などが挙げられる。
【００９３】
その中でも、洗浄剤組成物の均一性と入手の容易性の観点から、（ＰＯＥ１〜５）モノエチルアミン、（ＰＯＥ１〜５）ジエチルアミン、（ＰＯＥ１〜５）ヘキシルアミン、（ＰＯＥ１〜５）ブチルアミン、（ＰＯＥ１〜５）オクチルアミン、（ＰＯＥ１〜５）ベンジルアミン、（ＰＯＥ１〜５）シクロヘキシルアミン；が好ましい。 
【００９４】
これらのアルキレンオキサイド化合物Ｂは、それぞれ単独でまたは２種以上を用いることができる。 
【００９５】
なお、洗浄剤組成物の均一性の観点から、一般式（Ｉ）で表されるアルキレンオキサイド化合物Ａが本発明において特に好適に使用できる。
【００９６】
（ｅ）成分は、その溶解性パラメーターが２１．５〜３１Ｊ1/2・ｃｍ-3/2のものが好ましく、２３〜３０Ｊ1/2・ｃｍ-3/2のものがさらに好ましく、２４．５〜２９Ｊ1/2・ｃｍ-3/2のものがさらに好ましく、２５．５〜２８Ｊ1/2・ｃｍ-3/2のものが特に好ましい。高温での保存安定性の観点から溶解性パラメーターが２４．５Ｊ1/2・ｃｍ-3/2以上のものがより好ましく、低温での保存安定性の観点から２９Ｊ1/2・ｃｍ-3/2以下のものがより好ましい。
分子の溶解性パラメータδは以下の式で定義される。
【００９７】
δ≡（δd2＋δp2＋δh2）1/2
ここに、δdはＬｏｎｄｏｎ分散力項、δpは分子分極項、δhは水素結合項という。
各項は、当該分子の構成原子団ｉの各項のモル引力乗数（Ｆdi，Ｆpi，Ｅhi）及びモル体積Ｖiを用いて以下の式で計算される。
【００９８】
δd2＝ΣＦdi／ΣＶi
δp2＝（ΣＦpi2）1/2／ΣＶi
δh2＝（ΣＥhi／ΣＶi）1/2
構成原子団ｉの各項のモル引力乗数（Ｆdi，Ｆpi，Ｅhi）及び分子容Ｖiは表１に掲載の数値を用いる。この表に掲載されていない原子団については、各項のモル引力乗数（Ｆdi，Ｆpi，Ｅhi）はｖａｎ  Ｋｒｅｖｅｌｅｎによる値（Literatures A and B）を使用し（Literatures A and B）、モル体積ＶiはＦｅｄｏｒｓによる値（Literature C）を使用する。
【００９９】
Literature A：K.E.Meusburger : "Pesticide Formulations : Innovations and Developments" Chapter 14 (Am. Chem.Soc.), 151-162(1988)
Literature B：A.F.M.Barton : "Handbook of Solubility Parameters and Other Cohesion Parameters" (CRC Press Inc., Boca Raton,FL) (1983)
Literature C：R.F.Fedors : Polymer Eng. Sci., 14,(2), 147-154 (1974)
（３次元溶解度パラメータ計算表）
【０１００】
【表１】
2006124696.tif 000004
【０１０１】
（ｅ）成分としては、（ａ）成分を２重量％以上含有する場合においても安定で、洗浄剤組成物の均一性や優れたリンス性（すすぎ性）を発現するものとして、（ｅ−１）多価アルコール類，（ｅ−２）含窒素化合物類および（ｅ−３）アルキレンオキサイド化合物類がより好ましい。
【０１０２】
（ｅ−１）（ｅ−２）および（ｅ−３）は以下に記載した化合物からなる群から選ばれる少なくとも１種であることがより好ましい。
【０１０３】
（ｅ−１）ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、プロピレングリコール、ジプロピレングリコール、トリプロピレングリコール及びトリメチレングリコール。
【０１０４】
（ｅ−２）アセトアミド、Ｎ，Ｎ−ジメチルアセトアミド、アセトニトリル、アミルアミン、アリルアミン、イソブチルアミン、イソプロパノ−ルアミン、イソプロピルアミン、Ｎ−エチルエタノールアミン、モルホリン、Ｎ−エチルモルホリン、エチレンジアミン、カプロラクタム、ジアミルアミン、ジエタノールアミン、ジエチルアミン、ジエチレントリアミン、シクロヘキシルアミン、ジメチルアミン、テトラエチレンペンタミン、Ｎ，Ｎ，Ｎ’，Ｎ’−テトラメチルエチレンジアミン、トリエタノールアミン、２−ピロリドン、Ｎ−メチルピロリドン、Ｎ−メチルホルムアミド、モノエタノールアミン、モノメチルアミン及びモノエチルアミン。
【０１０５】
（ｅ−３）（ＰＯＥ１〜５）モノメチルエーテル、（ＰＯＥ１〜５）モノエチルエーテル、（ＰＯＥ１〜５）モノプロピルエーテル、（ＰＯＥ１〜５）モノブチルエーテル、（ＰＯＥ１〜２）モノイソブチルエーテル、（ＰＯＥ１〜２）モノアリルエーテル。
【０１０６】
（ｅ−１）多価アルコール類は、トリエチレングリコール、テトラエチレングリコール、ヘプタエチレングリコール，ヘキサエチレングリコール、ノナエチレングリコール，ジプロピレングリコール，トリプロピレングリコールがさらにより好ましい。
【０１０７】
（ｅ−２）含窒素化合物類はＮ，Ｎ−ジメチルアセトアミドまたはモルホリンがさらにより好ましい。
【０１０８】
（ｅ−３）アルキレンオキサイド化合物類としては、（ＰＯＥ１〜５）モノメチルエーテル，（ＰＯＥ１〜５）モノエチルエーテル、（ＰＯＥ１〜５）モノプロピルエーテルがさらにより好ましい。
【０１０９】
より好ましくは、多価アルコール類及び含窒素含有化合物類であり、更に好ましくは多価アルコール類である。
【０１１０】
（ｅ）成分の含有量は、（ａ）成分を２重量％以上含有する場合においても、洗浄後のすすぎ性、水などの他の成分を配合する際の相溶性を向上させる観点から、１重量％以上であり、２重量％以上であることが好ましく、３重量％以上であることがより好ましく、５重量％以上であることが特に好ましい。また、洗浄性の観点から、３０重量％以下であり、２５重量％以下であることが好ましく、２０重量％以下であることがより好ましく、１８重量％以下であることが特に好ましい。
【０１１１】
（ｆ）水
（ｆ）成分の水は、（ａ）〜（ｅ）成分を均一に溶解させる溶媒として、また（ａ）成分のアルカリ作用を促進させる溶媒として用いられる。 
【０１１２】
（ｆ）成分の種類は、本発明の洗浄剤組成物の目的が妨げられないものであれば、特に限定されるものでない。（ｆ）成分としては、超純水、純水、イオン交換水、蒸留水、通常の水道水などが挙げられる。 
【０１１３】
（ｆ）成分の含有量は、本発明の洗浄剤組成物の各成分を配合した際の相溶性および（ａ）成分が有する樹脂状汚れの剥離効果を十分に発現させる観点から、２０重量％以上、好ましくは３０重量％以上、より好ましくは４０重量％以上、さらに好ましくは５０重量％以上である。また、優れた洗浄性を発現させる観点から、９５重量％以下、好ましくは９０重量％以下、より好ましくは８５重量％以下、さらに好ましくは８０重量％以下である。 
【０１１４】
本発明の洗浄剤組成物は、（ａ）成分〜（ｆ）成分を常法により混合することによって製造することができる。上記した（ａ）成分〜（ｆ）成分において列挙されている各成分は、いずれを使用しても本発明の課題を解決することができる。但し、使用する成分間による効果の違いは存在する。
【０１１５】
本発明の洗浄剤組成物は、本発明の効果を損なわない範囲で、必要に応じて、通常洗剤に用いられる防腐剤、防錆剤、シリコーン等の消泡剤、酸化防止剤等を適宜併用することができる。
【０１１６】
本発明の洗浄剤組成物は、プラスチックレンズ成形ガラス型表面に付着したプラスチックレンズ成形用原料、未反応モノマー、オリゴマー、ポリマー（樹脂）、ガスケットからブリードアウトした成分、可塑剤、接着剤、モールド固定用テープ由来の粘着剤などの高分子量の樹脂状汚れ、作業者の指紋、雰囲気中のほこりなどの汚れの洗浄用に適している。なお、汚れの付着強度から考えて、ポリマー（樹脂）や粘着剤などの高分子量の樹脂状汚れが洗浄除去できる場合には、他の汚れも除去できる。
【０１１７】
本発明の洗浄剤組成物は、種々の樹脂状の汚れに対して優れた洗浄性を有し、しかもプラスチックレンズ成形ガラス型を腐食させない性質を有しており、人体に対する安全性の高い組成であるため、洗浄時において安全に作業することができる。
【０１１８】
＜洗浄方法＞
次に、本発明の洗浄方法について説明する。
【０１１９】
洗浄工程（Ａ）は、本発明の洗浄剤組成物を用いてプラスチックレンズ成形ガラス型を洗浄する工程である。
【０１２０】
洗浄剤組成物を用いてプラスチックレンズ成形ガラス型を洗浄する方法は、特に限定がなく、通常用いられている公知の方法を使用することができる。かかる洗浄方法としては、例えば、浸漬法、浸漬揺動法、超音波洗浄法、スプレー法、手拭き法などの洗浄方法が挙げられる。また、洗浄剤組成物の温度、洗浄時間などの洗浄条件は、特に限定されるものではない。
【０１２１】
すすぎ工程（Ｂ）は、洗浄工程（Ａ）で洗浄された成形ガラス型をすすぎ水ですすぐ工程である。
【０１２２】
すすぎ水としては、成形ガラス型表面に残留する汚染物を除去することができるものであれば特に限定がないが、例えば、必要に応じて加温した、超純水、純水、イオン交換水、蒸留水、水道水などがすすぎの容易性の観点から好ましい。また、すすぎ方法にも特に限定されるものではなく、工程（Ａ）の洗浄方法と同様の方法を用いることができる。また、すすぎ条件にも特に限定がない。
【０１２３】
浸漬法、浸漬揺動法、超音波洗浄法を適用した場合の洗浄方法の実施形態について説明する。各洗浄方法においては、汚れの程度に応じて、洗浄とすすぎを複数回繰り返すことができる。
【０１２４】
（浸漬法）
本発明の洗浄剤組成物〔水の含有量５０重量％，液温：室温（好ましくは２０℃）〜７０℃〕を入れた容器内に、プラスチックレンズ成形ガラス型の全体を浸漬した状態で、０．５〜３時間放置する。ガラス型を取り出した後、流水〔水温：室温（好ましくは２０℃）〜５０℃〕で１〜２分間すすぐ。
【０１２５】
（浸漬揺動法）
本発明の洗浄剤組成物〔水の含有量６０重量％，液温：室温（好ましくは２０℃）〜７０℃〕を入れた容器内に、プラスチックレンズ成形ガラス型の全体を浸漬した状態で、攪拌機にて、循環流量５〜２０Ｌ／分（１００Ｌ槽）の条件で、０．５〜３時間、連続的又は断続的に攪拌する。ガラス型を取り出した後、流水〔水温：室温（好ましくは２０℃）〜５０℃〕で１〜２分間すすぐ。
【０１２６】
（超音波洗浄法）
本発明の洗浄剤組成物（水の含有量７０重量％，液温：室温（好ましくは２０℃）〜７０℃）を入れた超音波洗浄機内に、プラスチックレンズ成形ガラス型の全体を浸漬した状態で、２６〜４０ｋＨｚ（１０〜３０Ｗ／Ｌ）で２０〜３００秒間、超音波洗浄する。ガラス型を取り出した後、超音波洗浄機にて、前記同条件で２０〜３００秒間すすぐ。
【０１２７】
本発明の洗浄剤組成物を用いた洗浄方法によれば、高分子量の樹脂状汚れに対する洗浄性が優れ、成形ガラス型を腐食させずに種々の樹脂状汚れを洗浄することができるほか、洗浄時における人体に対する安全性も優れている。
【実施例】
【０１２８】
製造例〔テストピース〕
（１）ジエチレングリコールビスアリルカーボネート（ＡＤＣ）樹脂状汚れの調製（未反応のモノマー乃至オリゴマー汚れも含む）
直径２０ｍｍ、最大深さ２ｍｍの時計皿状のくぼみを３個有する、ガラス製の４．７ｍｍ×７５．４ｍｍ×２６．０ｍｍの３穴ホールスライドガラス（（株）井内盛栄堂製）を用意した。
【０１２９】
モノマーとしてＡＤＣ（ＰＰＧ社製、商品名：ＣＲ−３９モノマー）１００重量部と、重合開始剤としてジイソプロピルパーオキシジカーボネート〔日本油脂（株）製、商品名：パーロイルＩＰＰ−２７（ＣＲ）〕１１重量部とを、低温（−１０〜１０℃）で均一な組成となるように攪拌して混合物を得た。
【０１３０】
得られた混合物を、水平に保った前記スライドガラスのくぼみに、スライドガラス上面と同じ表面高さとなるように、各々０．２２ｍＬずつ注入し、３穴ホールスライドガラス１枚あたりの樹脂の注入量を０．６６ｍＬとし、均一な形状の重合物を得た。
【０１３１】
この３穴ホールスライドガラスをステンレス鋼製の蓋付きトレーに入れ、内部を窒素ガスに置換した後、完全に密閉した。その後、４０℃で２時間、６０℃で２時間、さらに８０℃で１８時間加熱することによって重合、固形化させて、ＡＤＣ樹脂状汚れに対する洗浄性試験用のテストピースを得た。
【０１３２】
（２）含硫黄ウレタン樹脂汚れ（未反応のモノマー乃至オリゴマー汚れも含む）付着成形ガラス型  硝酸カリウムにて化学強化処理した直径約８ｃｍの成形ガラス型の使用面側に、直径約１ｃｍのＭＲ−８樹脂（三井化学（株）製、含硫黄ウレタン樹脂系屈折率１．６０）の固まりを５個成形した（０.０５ｇ／直径１cm・１個当たり）。プラスチックレンズ樹脂の重合条件：３０℃で６時間、４０℃で７時間、５０℃で３時間、６０℃で２時間、１００℃で３時間、１２０℃で３時間の合計２４時間加熱することによって重合、固形化させた。
【０１３３】
（３）ガラス腐食性試験用テストピースの製造
１．１ｍｍ×７６．０ｍｍ×２６．０ｍｍのアルカリ珪酸ガラス（組成：７０％ＳｉＯ2、１２％Ｎａ2Ｏ、６．５％ＣａＯ、４％Ｋ2Ｏ、４％ＺｎＯ、１％ＭｇＯ、１％ＢａＯ、１％Ａｌ2Ｏ3、０．５％ＴｉＯ2）製のスライドガラス〔松浪硝子工業（株）製、商品名：Ｓ−１１１２〕を、４１０〜４３０℃に保持した硝酸カリウム溶融塩中に１２時間浸漬した。その後、ゆっくりと室温まで冷却し、流水にて、硝酸カリウムを洗い流した。よく水を切って、風乾後、ガラス腐食試験用化学強化ガラステストピースとした。
【０１３４】
実施例１〜１２および比較例１〜１３
表２及び表４に示す組成（組成比単位は重量％）の各種洗浄剤組成物を調製し、これらの洗浄剤組成物を用いて、ＡＤＣ樹脂状汚れおよび含硫黄ウレタン樹脂汚れに対する洗浄性試験およびガラス腐食性試験を行った。表２の組成物の試験結果を表３に示し、表４の組成物の試験結果を表５に示す。洗浄性試験とガラス腐食性試験の方法およびその評価基準を以下に示す。
【０１３５】
〔洗浄性試験〕
洗浄工程（Ａ）
ＡＤＣ樹脂状汚れと含硫黄ウレタン樹脂汚れに対する洗浄性試験用のテストピースを、６０℃に保持した洗浄剤組成物に浸漬し、３９ｋＨｚ、２００Ｗの超音波洗浄装置（シャープ（株）製、商品名：ＳＩＬＥＮＴＳＯＮＩＣ ＵＴ−２０４）で６０秒間洗浄した。
【０１３６】
すすぎ工程（Ｂ）
次いで、３０℃のイオン交換水に浸漬し、洗浄と同様の超音波洗浄装置で５０秒間リンスした（第１リンス）。さらに、同じく３０℃のイオン交換水に浸漬し、超音波洗浄装置で５０秒間仕上げリンスした（第２リンス）。その後、５０秒間エアーブローし、送風定温乾燥機（（株）東洋製作所製、商品名：ＦＶ−６３０）にて８０℃、１０分間乾燥した。
【０１３７】
各洗浄剤組成物について、上記の条件で、ＡＤＣ樹脂状汚れと含硫黄ウレタン樹脂汚れに対する洗浄性試験用のテストピース各々５枚を洗浄し、それぞれの樹脂状汚れに対する洗浄率を、洗浄前後のテストピースの重量の変化より求め、これら平均値をとって、洗浄率（％）とした。
【０１３８】
〔ガラス腐食性試験〕
ガラス腐食性試験用化学強化ガラステストピースを、各々７０℃に保った洗浄剤組成物に４８時間浸漬した。洗浄剤組成物から取り出したテストピースを、清浄なイオン交換水にて十分にすすいだ後、１分間エアーブローし、室内にて風乾した。
【０１３９】
ガラス腐食性試験は、重量減少率（％）（−を付けたものは重量が減少したことを示す。）および目視判定により行った。
【０１４０】
重量減少率は、各洗浄剤組成物について、上記の条件で、５枚のテストピースを処理し、ガラス腐食によって溶解し、重量が現象した割合を、処理前後のテストピースの重量変化より求め、その平均値をとることにより算出した。また、目視判定は、同様の条件で、５枚のテストピースを処理し、処理後のガラス表面の状態を目視にて判定した。その際の判定基準は以下の通りである。
【０１４１】
（目視判定の判定基準）
◎：変化なし
○：ごくわずかに、部分的に白色化
△：部分的に白色化
×：全体的に白色化
〔組成物の安定性試験（配合１０分後）〕
５００ｍＬのガラス製ビーカーに（ａ）成分〜（ｆ）成分を全量で５００ｇになるように投入し、混合後、室温にて、５ｃｍのマグネチックスターラでよく攪拌した（５００〜６００ｒ／minで１０分間）。室温にて、１０分間静置後の組成物の状態を目視及び攪拌棒で確認した。
【０１４２】
（安定性の判定基準）
◎：均一透明状態。曇り、層分離、析出物がない。
○：均一状態。透明ではなく、濁りがある。層分離、析出物がない。
×：層分離が生じている、或いは粘性又は析出物がある。
【０１４３】
〔組成物の安定性試験（６０℃、２４時間保存後）〕
５００ｍＬのガラス製ビーカーに（ａ）成分〜（ｆ）成分を全量で５００ｇになるように投入し、混合後、室温にて、５ｃｍのマグネチックスターラでよく攪拌した（５００〜６００ｒ／minで１０分間）。室温にて、１０分間静置後の組成物の状態を目視及び攪拌棒で確認した。また、この組成物を５００ｍＬのポリエチレン製ボトルに入れ、蓋をして、６０℃で２４時間保存した。その後、室温に戻してから３０分後の組成物の状態を目視及び攪拌棒で確認した。
【０１４４】
（安定性の判定基準）
◎：均一透明状態。曇り、層分離、析出物がない。
○：均一状態。透明ではなく、濁りがある。層分離、析出物がない。
×：層分離が生じている、或いは粘性又は析出物がある。
【０１４５】
【表２】
2006124696.tif 000005
【０１４６】
【表３】
2006124696.tif 000006
【０１４７】
【表４】
2006124696.tif 000007
【０１４８】
【表５】
2006124696.tif 000008